【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
開放端（４）を有する第一容器（３）、および前記開放端（４）を開閉する開放位置と閉鎖位置間で回転するために第一容器（３）に蝶番止めされた蓋（５）を含み、
前記蓋（５）が閉鎖位置のときに、第一容器（３）は実質的平行六面体を形成し、かつ上および下の二つの端壁（７，８）、ならびに前および後の二つの主側壁（１０，１１）、二つの小側壁（９）、前記主側壁（１０，１１）と前記小側壁（９）との間に各々が形成された四つの長手縁（１２）、および各々が前記端壁（７，８）と主側壁および小側壁（９，１０，１１）との間に形成された長手を横切る八つの横縁（１３）を含みかつ前記端壁（７，８）に結合された側面を含み、かつ
前記蓋（５）は前記後の主側壁（１１）に形成された蝶番（６）に沿ってかつ前記長手縁（１２）と平行に蝶番止めされ、かつ
前記蓋（５）が前記端壁（７，８）の一部、前記主側壁（１０，１１）の一部、および小側壁（９）を含む、タバコ製品用硬質包装容器（１）において、
前記包装容器（１）がタバコ製品（２）を収容するための第二容器（４）を含み、かつ第二容器（４）は、第二容器（１４）が第一容器（３）の内側へ完全に挿入される挿入位置と、第二容器（１４）が第一容器（３）から引き出されて第一容器（３）の開放端（４）から突出する引き出し位置との間で、第一容器（３）に対して滑動するために滑動可能に第一容器（３）の内側に収容されていることを特徴とする、タバコ製品用硬質包装容器。
【請求項２】
前記蓋（５）が閉鎖位置のときに、少なくとも前記前主側壁（１０）で、前記蓋（５）の縁（３１）は第一容器（３）の縁（３２）から分離してその下の第二容器（１４）を部分的に露出させることを特徴とする、請求項１に記載の包装容器。
【請求項３】
前記蓋（５）の縁（３１）は、前記蓋（５）の縁（３１）と第一容器（３）の縁（３２）間との距離が一定であるように、第一容器（３）の前記前主側壁（１０）に沿って、第一容器（３）の縁（３２）と平行であることを特徴とする、請求項２に記載の包装容器。
【請求項４】
第一容器（３）の前記前主側壁（１０）に沿って、前記蓋（５）の縁（３１）と第一容器（３）の縁（３２）との間の距離は変化していることを特徴とする、請求項２に記載の包装容器。
【請求項５】
前記蓋（５）が閉鎖位置のときに、前記端壁（７，８）で、前記蓋（５）は第一容器（３）の縁（３２）と実質的に接触していることを特徴とする、請求項２から４のいずれか１に記載の包装容器。
【請求項６】
前記蓋（５）の縁（３１）および第一容器（３）の縁（３２）は直線により形成されていることを特徴とする、請求項２から５のいずれか１に記載の包装容器。
【請求項７】
前記蓋（５）の縁（３１）および第一容器（３）の縁（３２）は曲折線により形成されていることを特徴とする、請求項２から５のいずれか１に記載の包装容器。
【請求項８】
前記蓋（５）の縁（３１）および第一容器（３）の縁（３２）は曲線により形成されていることを特徴とする、請求項２から５のいずれか１に記載の包装容器。
【請求項９】
第二容器（１４）は実質的平行六面体であり、かつ上および下の二つの端壁（１５，１６）、ならびに前記上下端壁（１５，１６）により結合された側面を含み、前記側面が前および後の主側壁（１７）、二つの小側壁（１８）、各々が前記主側壁（１７）と前記小側壁（１８）との間に形成された四つの長手縁（１９）、および各々が前記上下端壁（１５，１６）と前記主側壁および小側壁（１７，１８）との間に形成された長手を横切る八つの横縁（２０）を含み、第二容器（１４）の上端壁（１５）は、第二容器（１４）が引き出し位置のときに、第二容器（１４）からタバコ製品を抜き出す開放位置（２１）を含むことを特徴とする、請求項１から８のいずれか１に記載の包装容器。
【請求項１０】
第二容器（１４）の長手縁（１９）は円弧縁であることを特徴とする、請求項９に記載の包装容器。
【請求項１１】
第一容器（３）の長手縁（１２）は角縁であることを特徴とする、請求項１０に記載の包装容器。
【請求項１２】
第一容器（３）の長手縁（１２）は円弧縁であることを特徴とする、請求項１０に記載の包装容器。
【請求項１３】
第二容器（１４）は、長手折り目線（２５）の二つの群（２４）、ならびに前記長手折り目線（２５）の二つの群（２４）間で、前記上端壁（１５）の一部を形成する第一パネル（１５’）、一方の前記主側壁（１７）を形成する第二パネル（１７’）、前記下端壁（１６）を形成する第三パネル（１６’）、他方の前記主側壁（１７）を形成する第四パネル（１７”）、および前記上端壁（１５）の一部を形成する第五パネル（１５”）を含むフラットブランク（２３）から形成され、
第二パネル（１７’）は二つのウイング（１８’）を含み、二つの前記ウイング（１８’）は第二パネル（１７’）の両側に位置し、長手折り目線（２５）の二つの群（２４）により第二パネル（１７’）から分離し、かつ前記小側壁（１８）に対応する部分を形成し、
第四パネル（１７”）は二つの第二ウイング（１８”）を含み、二つの第二ウイング（１８”）は第四パネル（１７”）の両側に位置し、第四パネル（１７”）から長手折り目線（２５）の二つの群（２４）により分離し、かつ前記小側壁（１８）に対応する部分を形成し、かつ
前記長手折り目線（２５）の各群（２４）は複数の長手折り目線（２５）を含むことを特徴とする、請求項１０に記載の包装容器。
【請求項１４】
第一容器（３）は、二つの長手折り目線（２８）、ならびに二つの前記長手折り目線（２８）間に、前記前主側壁（１０）の一部を形成する第一パネル（１０’）、一方の前記小側壁（１１）を形成する第二パネル（９’）、前記後主側壁（１１）を形成する第三パネル（１１’）、他方の前記小側壁（９）を形成する第四パネル（９”）、および前記前主側壁（１０）の残部を形成する第五パネル（１０”）を形成する複数の横切る方向の折り目線（２９）を含むフラットブランク（２７）から形成され、
第一、第三および第四パネル（１０’，１１’，１０”）はそれぞれ対のウイング（７’，８’）を有し、前記ウイング（７’，８’）は第一、第三および第四パネル（１０’，１１’，１０”）の両側に位置し、前記長手折り目線（２８）により第一、第三および第四パネル（１０’，１１’，１０”）から分離し、かつ前記端壁（７，８）を形成し、
第三パネル（１１’）の各ウイング（７’，８’）は二つのウイング（９’”）を有し、二つの前記ウイング（９’”）はウイング（７’，８’）の両端に位置し、長手を横切る横折り目線（２９）によりウイング（７’，８’）から分離し、かつ前記小側壁（９）のそれぞれの内部を形成することを特徴とする、請求項１から１３のいずれか１に記載の包装容器。
【請求項１５】
前記容器（３，１４）の少なくとも一方の少なくとも一つの縁（１２，１３，１９，２０）は四角でない縁であることを特徴とする、請求項９に記載の包装容器。
【請求項１６】
前記容器（３，１４）の少なくとも一方の少なくとも一つの縁（１２，１３，１９，２０）は四角でない円弧状縁であることを特徴とする、請求項１５に記載の包装容器。
【請求項１７】
前記容器（３，１４）の少なくとも一方の少なくとも一つの縁（１２，１３，１９，２０）は四角でない面取り縁であることを特徴とする、請求項１５に記載の包装容器。
【請求項１８】
前記容器（３，１４）の少なくとも一方の少なくとも一つの側壁（９，１０，１１，１７，１８）は外方に突出した形態を有し、シャープな長手縁（１２，１９）に沿って少なくとも一つの対応する側壁（９，１０，１１，１７，１８）に連結され、かつその側壁（９，１０，１１，１７，１８）と共に実質的鈍角の二面角を形成していることを特徴とする、請求項１５に記載の包装容器。
【請求項１９】
前記容器（３，１４）の少なくとも一方の少なくとも一つの側壁（９，１０，１１，１７，１８）は外方に突出した形態を有し、長手を横切るシャープな横縁（１３，２０）に沿って少なくとも一つの対応する端壁（７，８，１５，１６）に連結され、かつその端壁（７，８，１５，１６）と共に実質的鈍角の二面角を形成していることを特徴とする、請求項１５に記載の包装容器。
【請求項２０】
前記蓋（５）と反対側の第一容器（３）の小側壁（９）は使用者の指の挿入を可能にする寸法の少なくとも一つの貫通孔（３２）を含むことを特徴とする、請求項１から１０のいずれか１に記載の包装容器。
【請求項２１】
第一容器（３）からの第二容器（１４）の分離を防止するために、第一容器（３）に対する第二容器（１４）の滑動を制限する停止手段を含むことを特徴とする、請求項１から２０のいずれか１に記載の包装容器。
【請求項２２】
前記停止手段は、第二容器（１４）の主側壁（１７）から第二容器（１４）のの外方へ突出する少なくとも一つの第一舌部、および第一容器（３）の主側壁（１０，１１）から第一容器（３）の内方へ突出しかつ第一容器（３）の開放端（４）の近くに位置する第二舌部を含み、前記第一および第二舌部は、第二容器（１４）が第一容器（３）から滑動するときに第一舌部が第二舌部と係合するように位置決めされていることを特徴とする、請求項２１に記載の包装容器。
【手続補正２】
【補正対象書類名】明細書
【補正対象項目名】０００４
【補正方法】変更
【補正の内容】
【０００４】
ＵＳ−６３６０９４３−Ｂ１は箱部と、箱部に関節式に結合された蓋を有するシガレット用蝶番蓋付き箱を開示する。箱前壁および蓋前壁の領域において、箱部と蓋は長手を横切る方向にクロージャ縁を形成する。即ち、蓋クロージャ縁と係合するクロージャ縁を形成する。これらのクロージャ縁はＶ形であり連結された縁脚間で異なる角度を形成し、結果としてＶ形または矢尻形開口を形成している。
ＷＯ−００３４１５０−Ａ１は、蝶番式蓋を有し、箱部および蓋で構成されるシガレット用箱を開示する。前蓋壁および前箱壁は対峙する閉鎖縁を形成する。即ち、蓋閉鎖縁および反対側の閉鎖縁を形成する。二つの閉鎖縁は相互から分離していて、カラーの一部、即ち、前カラー壁が異なる形状の視界領域または間隙において観察できるようになっている。
ＷＯ−９９６５７９６−Ａ１は、蝶番式蓋を有するシガレット等用の箱を開示し、箱部、蓋、および箱部内に位置しかつ上カラー部により箱部から突出するカラーを有し、蓋は閉鎖位置で上カラー部を封入する。蓋が閉鎖されるときにカラー前壁の領域内の隆起と形状嵌めに係合する凹部を側縁領域に有する蓋内部タブが蓋前壁の内側に締結される。
製造が比較的容易であることにより市販されかつ喫煙者には一般的であるが、上記タイプの硬質シガレットパケットは、パケットの内側にシガレットを効果的に保護する点に欠け、そのパケットを使用者がポケットに入れて運搬するときに、蝶番式蓋を有するパケットの蓋およびスライド開放型パケットの内容器の両者が開放する傾向があり、その結果としてシガレットが脱出する。